(57)【要約】【課題】カラー画像を形成する際の色ズレを防止する。【解決手段】カラー複写機１００は、画像入力部１１などから入力される画像データＤｉｎに基づいて画像処理部３１でＹＭＣＫ各色のラスタライズ画像データを生成し、当該ラスタライズ画像データを元に画像形成部６０のＹＭＣＫ各色の書込ユニットで重畳して画像を形成する際に、制御部１５の制御の下、各色の書込ユニットごとに主走査方向の変倍率を設定し、その設定された変倍率に基づいてラスタライズ画像データを変倍する。【選択図】図３
2008141730.tif 000002
【特許請求の範囲】
【請求項１】
発光素子を主走査方向にライン上に配列した書込ユニットを色ごとに備え、色ごとの画像データに基づいた画像を重畳してカラー画像を形成する画像形成装置であって、
前記発光素子列の解像度仕様が第１の解像度である第１の書込ユニットと、
前記発行素子列の解像度仕様が第２の解像度である第２の書込ユニットと、
前記第１の解像度と第２の解像度とに基づいて、前記第１または第２の書込ユニットに対応する色の画像データにおける前記主走査方向の変倍率を設定する倍率設定部と、
前記設定された変倍率に基づいて、前記画像データを主走査方向に変倍する変倍部と、
を備える画像形成装置。
【請求項２】
前記第１の書込ユニットの第１の解像度は第２の書込ユニットの第２の解像度より高く、
前記倍率設定部は、第１の書込ユニットに対応する色の画像データにおける前記主走査方向の変倍率を設定する請求項１に記載の画像形成装置。
【請求項３】
前記第１の書込ユニットは黒（ＢＫ）色の画像を書き込むものであり、第２の書込ユニットはシアン（Ｃ）、マゼンダ（Ｍ）、イエロー（Ｙ）のいずれかの色の画像を書き込む請求項１又は２に記載の画像形成装置。
【請求項４】
前記設定部は、前記いずれかの色の画像データにおける前記主走査方向の変倍率を、前記第１の解像度と前記第２の解像度とが整数比となる変倍率に設定する請求項１〜３のいずれか一項に記載の画像形成装置。
【請求項５】
前記第１の書込ユニットのみを使って画像形成を行うモノクロモードと全ての書込ユニットを使って画像形成を行うカラーモードとを有し、
前記倍率設定部は、カラーモードが選択された場合には前記第１の解像度と第２の解像度とに基づく倍率設定を行い、モノクロモードが選択された場合には前記第１の解像度と第２の解像度に基づく倍率設定を禁止する請求項１〜４のいずれか一項に記載の画像形成装置。
【請求項６】
前記第１の書込ユニット及び第２の書込ユニットそれぞれの解像度情報を記憶する記憶部を備え、
前記設定手段は、前記記憶部から読み出した各ユニットの解像度情報に基づいて変倍率を演算して設定する請求項１〜５のいずれか一項に記載の画像形成装置。
【請求項７】
ユーザーからの操作を受け付ける操作部を更に備え、
前記操作部から入力された解像度情報を各書込ユニットの解像度情報として前記記憶部に記憶する請求項６に記載の画像形成装置。
【請求項８】
前記色ごとの画像データの各々の階調を変換する階調変換部を更に備え、
前記変換部は、前記階調変換後の画像データに対して変倍を行う請求項１〜７のいずれか一項に記載の画像形成装置。
【請求項９】
前記階調変換部は、前記色ごとの画像データの各々の階調を２値化し、
前記変換部は、前記２値化された色ごとの画像データの各々に対して、前記設定された変倍率に基づいて、前記主走査方向の画素の間引き又は画素の挿入を行う請求項８に記載の画像形成装置。
【請求項１０】
前記変倍部は、前記主走査方向の画素の間引き又は画素の挿入を、当該主走査方向の画素の中からランダムに行う請求項９に記載の画像形成装置。
【発明の詳細な説明】
【技術分野】
【０００１】
本発明は、画像形成装置に関する。
【背景技術】
【０００２】
従来から、入力される画像データに基づいて、複数の発光ダイオード素子（Light  Emitting  Diode：以下ＬＥＤという）などの書込素子がライン状に配置されたＬＥＤヘッド書込光学系により感光体ドラムに静電潜像を形成し、その静電潜像にトナーを付着して形成されたトナー像を紙などの記録媒体に転写させて定着させることで画像を形成する画像形成装置がある。この画像形成装置では、Ｙ（イエロー）Ｍ（マゼンダ）Ｃ（シアン）ＢＫ（クロ）の色ごとにライン状に配置されたＬＥＤヘッド書込光学系を備え、この色ごとのＬＥＤヘッド書込光学系を使って形成される画像を重ね合わせて転写することで、記録媒体上にカラー画像を形成している。
【０００３】
例えば、特許文献１には、ＬＥＤヘッド書込光学系でカラー画像を形成する画像形成装置であって、画像を縮小又は拡大する倍率である変倍率に基づいてライン単位、かつ、画素単位に画像データの補間又は／及び補間処理を実行することで、画素単位レベルの微少な倍率変化に対応した良好な画像を記録媒体上に形成する技術が開示されている。
【特許文献１】特開２００６−５５９１号公報
【発明の開示】
【発明が解決しようとする課題】
【０００４】
また、近年６００ｄｐｉ、１２００ｄｐｉといった種々の解像度仕様のＬＥＤ書込ユニットが使われるようになってきており、上記した形態のカラー画像形成装置においても色毎に異なる解像度仕様のＬＥＤ書込ユニットが使われる場合がある。例えば、ＢＫ色を解像度の高い１２００ｄｐｉで、ＹＭＣ各色を低解像度の６００ｄｐｉで、といった場合がある。しかしながら、実際のＬＥＤ書込ユニットは、６００．５ｄｐｉ、１１９８．０ｄｐｉのように、そのユニットの仕様によって、必要とする解像度とは若干ずれた解像度となっている。このような解像度仕様の書込ユニットを使った場合、異なる解像度仕様の書込ユニットを使った色間でドットの位置がずれてしまい、結果的に色ズレが発生してしまうといった問題がある。
上述した従来技術は、記録媒体の形状に合わせて画像を変倍し、その記録媒体の形状に合わせた画像形成を行う技術であり、形成する画像に含まれる各色の重畳具合を調整して色ズレなどを防止することはできなかった。
【０００５】
本願発明の課題は、上記従来技術の問題点に鑑みてなされたものであって、カラー画像を形成する際の色ズレを防止することである。
【課題を解決するための手段】
【０００６】
上記課題を解決するために、請求項１に記載の発明は、発光素子を主走査方向にライン上に配列した書込ユニットを色ごとに備え、色ごとの画像データに基づいた画像を重畳してカラー画像を形成する画像形成装置であって、
前記発光素子列の解像度仕様が第１の解像度である第１の書込ユニットと、
前記発行素子列の解像度仕様が第２の解像度である第２の書込ユニットと、
前記第１の解像度と第２の解像度とに基づいて、前記第１または第２の書込ユニットに対応する色の画像データにおける前記主走査方向の変倍率を設定する倍率設定部と、
前記設定された変倍率に基づいて、前記画像データを主走査方向に変倍する変倍部と、
を備える。
【０００７】
請求項２に記載の発明は、請求項１に記載の発明において、前記第１の書込ユニットの第１の解像度は第２の書込ユニットの第２の解像度より高く、
前記倍率設定部は、第１の書込ユニットに対応する色の画像データにおける前記主走査方向の変倍率を設定する。
【０００８】
請求項３に記載の発明は、請求項１又は２に記載の発明において、前記第１の書込ユニットは黒（ＢＫ）色の画像を書き込むものであり、第２の書込ユニットはシアン（Ｃ）、マゼンダ（Ｍ）、イエロー（Ｙ）のいずれかの色の画像を書き込む。
【０００９】
請求項４に記載の発明は、請求項１〜３のいずれか一項に記載の発明において、前記設定部は、前記いずれかの色の画像データにおける前記主走査方向の変倍率を、前記第１の解像度と前記第２の解像度とが整数比となる変倍率に設定する。
【００１０】
請求項５に記載の発明は、請求項１〜４のいずれか一項に記載の発明において、前記第１の書込ユニットのみを使って画像形成を行うモノクロモードと全ての書込ユニットを使って画像形成を行うカラーモードとを有し、
前記倍率設定部は、カラーモードが選択された場合には前記第１の解像度と第２の解像度とに基づく倍率設定を行い、モノクロモードが選択された場合には前記第１の解像度と第２の解像度に基づく倍率設定を禁止する。
【００１１】
請求項６に記載の発明は、請求項１〜５のいずれか一項に記載の発明において、前記第１の書込ユニット及び第２の書込ユニットそれぞれの解像度情報を記憶する記憶部を備え、
前記設定手段は、前記記憶部から読み出した各ユニットの解像度情報に基づいて変倍率を演算して設定する。
【００１２】
請求項７に記載の発明は、請求項６に記載の発明において、ユーザーからの操作を受け付ける操作部を更に備え、
前記操作部から入力された解像度情報を各書込ユニットの解像度情報として前記記憶部に記憶する。
【００１３】
請求項８に記載の発明は、請求項１〜７のいずれか一項に記載の発明において、前記色ごとの画像データの各々の階調を変換する階調変換部を更に備え、
前記変換部は、前記階調変換後の画像データに対して変倍を行う。
【００１４】
請求項９に記載の発明は、請求項８に記載の発明において、前記階調変換部は、前記色ごとの画像データの各々の階調を２値化し、
前記変換部は、前記２値化された色ごとの画像データの各々に対して、前記設定された変倍率に基づいて、前記主走査方向の画素の間引き又は画素の挿入を行う。
【００１５】
請求項１０に記載の発明は、請求項９に記載の発明において、前記変倍部は、前記主走査方向の画素の間引き又は画素の挿入を、当該主走査方向の画素の中からランダムに行う。
【発明の効果】
【００１６】
請求項１に記載の発明によれば、カラー画像を形成する際の色ズレを防止することができる。
【００１７】
請求項２に記載の発明によれば、第２の書込ユニットの第２の解像度より高い第１の解像度である第１の書込ユニットに対応する色の画像データにおける主走査方向の変倍率を設定することができる。
【００１８】
請求項３に記載の発明によれば、黒（ＢＫ）色の画像を書き込む第１の書込ユニット、シアン（Ｃ）、マゼンダ（Ｍ）、イエロー（Ｙ）のいずれかの色の画像を書き込む第２の書込ユニットによるカラー画像を形成する際の色ズレを防止することができる。
【００１９】
請求項４に記載の発明によれば、いずれかの色の画像データにおける主走査方向の変倍率を、第１の解像度と第２の解像度とが整数比となる変倍率に設定することができる。
【００２０】
請求項５に記載の発明によれば、全ての書込ユニットを使って画像形成を行うカラーモードが選択された場合には前記第１の解像度と第２の解像度とに基づく倍率設定を行い、第１の書込ユニットのみを使って画像形成を行うモノクロモードが選択された場合には前記第１の解像度と第２の解像度に基づく倍率設定を禁止することができる。
【００２１】
請求項６に記載の発明によれば、第１の書込ユニット及び第２の書込ユニットそれぞれの解像度情報を記憶する記憶部から読み出した各ユニットの解像度情報に基づいて変倍率を演算して設定することができる。
【００２２】
請求項７に記載の発明によれば、ユーザーからの操作を受け付ける操作部から入力された解像度情報を各書込ユニットの解像度情報として記憶部に記憶することができる。
【００２３】
請求項８に記載の発明によれば、色ごとの画像データの各々の階調を変換する階調変換部による階調変換後の画像データに対して変倍を行うことができる。
【００２４】
請求項９に記載の発明によれば、階調変換部により２値化された色ごとの画像データの各々に対して、設定された変倍率に基づいて、主走査方向の画素の間引き又は画素の挿入を行うことができる。
【００２５】
請求項１０に記載の発明によれば、主走査方向の画素の間引き又は画素の挿入を、当該主走査方向の画素の中からランダムに行うことができる。
【発明を実施するための最良の形態】
【００２６】
以下、この発明の実施の形態について図を参照して説明するが、この発明は以下の実施の形態に限定しない。また、この発明の実施の形態は発明の最も好ましい形態を示すものであり、発明の用途や用語はこれに限定するものではない。
【００２７】
先ず、カラー複写機１００の構成に概略について説明する。図１に示すように、カラー複写機１００は、原稿をスキャンして得られる画像データに画像処理を行う画像処理装置としての機能、その画像処理後の画像データに基づいて記録媒体Ｐ上にカラー画像を形成する画像形成装置としての機能を有する装置である。このカラー複写機１００は、カラー用のプリンタやファクシミリ装置、これらの複合機に適用してもよい。
【００２８】
カラー複写機１００は、複写機本体１０１を有している。複写機本体１０１の上部は、カラー用の画像入力部１１及びＡＤＦ４０（自動原稿給紙装置）が配設されている。ＡＤＦ４０は、ＡＤＦモード時に、一又は複数の原稿３０を自動給紙するように動作する。ここでいうＡＤＦモードとは、ＡＤＦ４０に載置された原稿３０を自動給紙して原稿画像を自動的に読み取る動作をいう。
【００２９】
ＡＤＦ４０は、原稿載置部４１、ローラ４２ａ、ローラ４２ｂ、ローラ４３、搬送ローラ４４及び排紙皿４６を有している。原稿載置部４１には一又は複数の原稿３０が載置される。原稿載置部４１の下流側にはローラ４２ａ及びローラ４２ｂが設けられている。ＡＤＦモードが選択されたとき、原稿載置部４１から繰り出された原稿３０は、下流側のローラ４３によってＵ字回転するように搬送される。なお、ＡＤＦモードが選択された場合、原稿３０の記録面は原稿載置部４１で上に向けて載置される。
【００３０】
また、画像入力部１１は、原稿３０に形成された色画像を読み取るように動作する。画像入力部１１には、例えば、カラー用のスリットスキャン型のスキャナが使用される。画像入力部１１にはアレイ状に配列されたイメージセンサ５８が備えられ、例えば、ＡＤＦモード時に、原稿３０がローラ４３によってＵ字状に反転するときに、その原稿３０の表面を読み取って画像読取信号Ｓｏｕｔを出力するようになされる。イメージセンサ５８には、例えば３ラインカラーＣＣＤ（Charge Coupled Devices）撮像装置が使用される。
【００３１】
イメージセンサ５８は、複数の受光素子列が主走査方向に配置されて構成される赤（Ｒ）色、緑（Ｇ）色及び青（Ｂ）色光検出用の３つの読み取りセンサが主走査方向と直交する副走査方向の異なる位置で画素を分割してＲ色、Ｇ色及びＢ色の光情報を同時に読み取るようになされる。
【００３２】
画像入力部１１で読み取られた原稿３０は、搬送ローラ４４により搬送されて排紙皿４６へ排紙される。また、イメージセンサ５８は、プラテンモード時に、原稿３０を読み取って得たＲＧＢ色系の画像読取信号を出力するようになされる。ここにプラテンモードとは、プラテンガラス上に載置された原稿３０に光学駆動系を走査して原稿画像を自動的に読み取る動作をいう。
【００３３】
画像入力部１１は、イメージセンサ５８の他に、第１のプラテンガラス５１、第２のプラテンガラス５２（ＡＤＦガラス）、光源５３、ミラー５４、５５、５６、結像光学部５７及び特に図示しない光学駆動部を有している。光源５３は、原稿３０に光を照射するように動作する。光学駆動部は原稿３０又はイメージセンサ５８を副走査方向に相対的に移動するように動作する。副走査方向とは、イメージセンサ５８を構成する複数の受光素子の配置方向を主走査方向としたとき、この主走査方向と直交する方向をいう。このように、ＡＤＦ４０の原稿載置部４１に載置された原稿３０は前述したローラ４２ａ、４２ｂ、４３及び搬送ローラ４４により搬送され、画像入力部１１の光学系により原稿３０の片面又は両面の画像が走査露光され、画像読み取りを反映する入射光がイメージセンサ５８により読み込まれる。
【００３４】
イメージセンサ５８は、入射光を光電変換する。イメージセンサ５８には制御部１５を介して画像処理部３１が接続され、光電変換されたアナログの画像読取信号が画像処理部３１において、アナログ処理、Ａ／Ｄ変換、シェーディング補正、画像圧縮処理及び変倍処理等がなされ、各画素がＲ色、Ｇ色、Ｂ色成分で表されるデジタルの画像データとなる。
【００３５】
画像処理部３１は、その画像データを３次元色情報変換テーブルによって、Ｙ（イエロー）、Ｍ（マゼンダ）、Ｃ（シアン）、ＢＫ（クロ）色用の画像データＤｙ、Ｄｍ、Ｄｃ、Ｄｋに変換する。この画像データＤｙ、Ｄｍ、Ｄｃ、Ｄｋは、後述する制御手段が記憶部に格納されている書込ユニット別変倍情報を読み出して画像処理部３１に出力する制御指示に基づいた変倍処理が行われ、その変倍処理後の画像データＤｙ、Ｄｍ、Ｄｃ、Ｄｋを画像形成部６０を構成する書込ユニット３Ｙ、３Ｍ、３Ｃ、３Ｋへ転送する。
【００３６】
複写機本体１０１は、Ｙ、Ｍ、Ｃ、ＢＫ各々の色画像を形成する複数の書込ユニットで、紙などの記録媒体上にカラー画像を形成するタンデム型のカラー画像形成装置と称せされるものである。複写機本体１０１には、画像形成部６０が設けられている。画像形成部６０は、画像入力部１１により読み取って、画像処理部３１での画像処理後の画像データＤｙ、Ｄｍ、Ｄｃ、Ｄｋに基づいて色画像を形成する。画像形成部６０には、色毎に像形成体を有する複数の画像形成ユニット１０Ｙ、１０Ｍ、１０Ｃ、１０Ｋと無終端状の中間転写体６と、この中間転写体６を記録媒体に転写したトナー像を定着するための定着装置１７とが備えられる。
【００３７】
イエロー（Ｙ）色の画像を形成する画像形成ユニット１０Ｙは、Ｙ色のトナー像を形成する像形成体としての感光体ドラム１Ｙと、感光体ドラム１Ｙの周囲に配置されたＹ色用の帯電部２Ｙ、書込ユニット３Ｙ、現像部４Ｙ及び像形成体用のクリーニング部８Ｙを有する。マゼンダ（Ｍ）色の画像を形成する画像形成ユニット１０Ｍは、Ｍ色のトナー像を形成する像形成体としての感光体ドラム１Ｍと、Ｍ色用の帯電部２Ｍ、書込ユニット３Ｍ、現像部４Ｍ及び像形成体用のクリーニング部８Ｍを有する。
【００３８】
シアン（Ｃ）色の画像を形成する画像形成ユニット１０Ｃは、Ｃ色のトナー像を形成する像形成体としての感光体ドラム１Ｃと、Ｃ色用の帯電部２Ｃ、書込ユニット３Ｃ、現像部４Ｃ及び像形成体用のクリーニング部８Ｃを有する。黒（ＢＫ）色の画像を形成する画像形成ユニット１０Ｋは、ＢＫ色のトナー像を形成する像形成体としての感光体ドラム１Ｋと、ＢＫ色用の帯電部２Ｋ、書込ユニット３Ｋ、現像部４Ｋ及び像形成体用のクリーニング部８Ｋを有する。
【００３９】
帯電部２Ｙと書込ユニット３Ｙ、帯電部２Ｍと書込ユニット３Ｍ、帯電部２Ｃと書込ユニット３Ｃ及び帯電部２Ｋと書込ユニット３Ｋは、中間転写体に潜像画像を形成する。書込ユニット３Ｙ、３Ｍ、３Ｃ、３Ｋには、画像形成すべき記録媒体の搬送方向（副走査方向）と直交する主走査方向にライン状に画像形成を行うための発光素子（書込み用発光素子）を配置したＬＥＤアレイヘッド光学系が使用される。
【００４０】
現像部４Ｙ、４Ｍ、４Ｃ、４Ｋによる現像は、使用するトナー極性と同極性（例えば負極性）の直流電圧に交流電圧を重畳した現像バイアスが印加される反転現像にて行われる。中間転写体６は、複数のローラにより巻き回され、回動可能に支持され、各々の感光体ドラム１Ｙ、１Ｍ、１Ｃ、１Ｋに形成されたＹ色、Ｍ色、Ｃ色、ＢＫ色のトナー像を転写するようになされる。
【００４１】
なお、書込ユニット３Ｙ、３Ｍ、３Ｃ、３Ｋにおける発光素子の配列は、書込ユニット毎に単位長さ当たりの素子密度、つまり、解像度や、主走査方向両端の発光素子間の長さ、つまり、書き込み可能な最大幅が異なるものである。この解像度や書き込み可能な最大幅などの各書込ユニットに固有の情報は、後述する記憶部に格納されている。
【００４２】
この各書込ユニットにおける解像度や書き込み可能な最大幅の違いは、予め６００ｄｐｉ、１２００ｄｐｉとして製造された場合や、度量換算に起因する仕様上の誤差などの場合がある。例えば、視覚的には目立たない色であるＹ色を書き込むための書込ユニット３Ｙには、低解像度であるがコストのかからない６００ｄｐｉのものを使用し、使用頻度が高く視覚的にも目立つＢＫ色を書き込むための書込ユニット３Ｋには、高解像度であるがコストがかかる１２００ｄｐｉのものを使用することで、形成画像の見た目の品質を落とすことなく、装置全体のコストを抑えることができる。
【００４３】
感光体ドラム１Ｙ、１Ｍ、１Ｃ、１Ｋの上部には、現像部４Ｙ、４Ｍ、４Ｃ、４Ｋによる主走査方向の現像の最大幅、つまり、上述した書き込み可能な最大幅を検出する光センサ等のセンサＳＥ１、ＳＥ２、ＳＥ３、ＳＥ４が設けられている。このセンサＳＥ１、ＳＥ２、ＳＥ３、ＳＥ４は、現像部４Ｙ、４Ｍ、４Ｃ、４Ｋで行われる現像の最大幅程度の位置の主走査方向にライン状に設けられており、主走査方向に最大幅で現像した際のトナーの付着状態を検出して、その検出信号を後述する制御手段へ出力する。
【００４４】
なお、このセンサＳＥ１、ＳＥ２、ＳＥ３、ＳＥ４は、書き込み可能な最大幅を検出だけでなく、主走査方向の所定位置に設置され、現像部４Ｙ、４Ｍ、４Ｃ、４Ｋにより形成された所定のパターン像のズレを検出することで、設計上の解像度と実際の解像度との差を検出して、その検出信号を後述する制御手段へ出力してもよい。
【００４５】
ここで、画像形成プロセスの概要について説明する。画像形成ユニット１０Ｙ、１０Ｍ、１０Ｃ、１０Ｋより形成された各色の画像は、使用するトナーと反対極性（例えば正極性）の１次転写バイアス（特に図示しない）が印加される１次転写ローラ７Ｙ、７Ｍ、７Ｃ、７Ｋにより、回動する中間転写体６上に逐次転写され、色を重ね合わせて合成されたカラー画像（色画像：カラートナー像）が形成される（１次転写）。
【００４６】
また、画像形成部６０の下方には、当該画像形成部６０に搬送する記録媒体を収容する給紙トレイ２０Ａ、２０Ｂ、２０Ｃが設けられる。給紙トレイ２０Ａ等に収容された記録媒体Ｐは、当該給紙トレイ２０Ａ等に設けられた送り出しローラ２１及び給紙ローラ２２Ａにより給紙され、搬送ローラ２２Ｂ、２２Ｃ、２２Ｄ、レジストローラ２３等を経て、２次転写ローラ７Ａに搬送され、記録媒体Ｐ上の一方の面（表面）にカラー画像が中間転写体６から記録媒体Ｐへ一括して転写される（２次転写）。
【００４７】
カラー画像が転写された記録媒体Ｐは、定着装置１７により定着処理され、排紙ローラ２４に挟持されて機外の排紙トレイ２５上に載置される。転写後の感光体ドラム１Ｙ、１Ｍ、１Ｃ、１Ｋの周面上に残った転写残トナーは、クリーニング部８Ｙ、８Ｍ、８Ｃ、８Ｋにより除去されて次の画像形成サイクルに入る。
【００４８】
両面画像形成時には、一方の面（表面）に画像形成された後、定着装置１７から排出された記録媒体Ｐが分岐部２６により排紙路から分岐される。次いで、記録媒体Ｐは、下方の循環通紙路２７Ａを経て、再給紙機構（ＡＤＵ機構）である反転搬送路２７Ｂより表裏を反転され、再給紙搬送部２７Ｃを通過して、搬送ローラ２２Ｄから前述した転写経路に合流する。
【００４９】
反転搬送された記録媒体Ｐは、レジストローラ２３を経て、再度２次転写ローラ７Ａに搬送され、記録媒体Ｐの他方の面（裏面）上にカラー画像（カラートナー像）が一括転写される。一方、２次転写ローラ７Ａにより記録媒体Ｐにカラー画像を転写した後、記録媒体Ｐを曲率分離した中間転写体６は、中間転写ベルト用のクリーニング部８Ａにより残留トナーが除去される。
【００５０】
これら画像形成が行われる記録媒体Ｐとしては、５２．３〜６３．９ｋｇ／ｍ２（１０００枚）程度の薄紙や６４．０〜８１．４ｋｇ／ｍ２（１０００枚）程度の普通紙、８３．０〜１３０．０ｋｇ／ｍ２（１０００枚）程度の厚紙や１５０．０ｋｇ／ｍ２（１０００枚）程度の超厚紙が用いられる。記録媒体Ｐの厚み（紙厚）としては０．０５〜０．１５ｍｍ程度の厚さのものが用いられる。
【００５１】
ここで、画像を形成する画像形成ユニットの周辺構成について、書込ユニット３Ｙの周辺を例に説明する。図２に示すように、書込ユニット３Ｙは、感光体ドラム１Ｙに対峙した位置に設けられる。書込ユニット３Ｙは、ＩＣ実装基板６４Ｙを有している。ＩＣ実装基板６４Ｙには、半導体集積回路（ＩＣ）化されたレジスタアレイ６１Ｙ、ラッチ回路６２Ｙ及びＬＥＤヘッド６３Ｙが実装され、図示しないプリント配線等により結線されて構成される。書込ユニット３Ｙ等には、例えばＡ４版の６００ｄｐｉの解像度で７５００画素の発光素子（ＬＥＤ）を主走査方向にライン状に配置したＬＥＤアレイヘッド光学ユニットが使用される。ＬＥＤアレイヘッド光学ユニットは、１ライン分の画像データに基づいて各々の強度で１ライン分のＹ色ライン形成用のＬＥＤ光群を一度に発生する。
【００５２】
Ｙ色用のＬＥＤ光群は、感光体ドラム１Ｙの１ラインを一度に露光し、主走査方向にライン状に静電潜像を形成する。感光体ドラム１Ｙに形成されたライン状の静電潜像は、図１に示した現像部４ＹがＹ色トナー部材によって現像される。現像部４Ｙによって現像されたＹ色用のトナー像は中間転写体６に転写される。
なお、本実施例ではＣ色の書込ユニット３Ｃ、Ｍ色の書込ユニット３Ｍにも、Ｙ色と同じ仕様の６００ｄｐｉの解像度で発光素子（ＬＥＤ）を主走査方向にライン状に配置したＬＥＤアレイヘッド光学ユニットが使用される。またＢＫ色の書込ユニット３Ｋには、１２００ｄｐｉの解像度で発光素子（ＬＥＤ）を主走査方向にライン状に配置したＬＥＤアレイヘッド光学ユニットが使用される。
【００５３】
次に、カラー複写機１００の制御系について説明する。図３に示すように、カラー複写機１００は、画像入力部１１、制御部１５、通信部１９、搬送部２０、画像処理部３１、画像メモリ３６、操作パネル４８及び画像形成部６０を有する。
【００５４】
制御部１５は、ＲＯＭ３３（Read  Only  Memory）、ワーク用のＲＡＭ３４（Random  Access  Memory）及びＣＰＵ３５（Central  Processing  Unit）を有している。ＲＯＭ３３には当該複写機全体を制御するためのシステムプログラムデータが格納される。ＲＯＭ３３は、画像形成部６０が記録媒体Ｐに形成する主走査方向／副走査方向の画素数（ライン数）などの装置固有の設定情報や、制御部１５が実行可能なプログラムデータなどを格納する。ＲＡＭ３４は、両面モード実行時の制御コマンドの一時記憶や、後述する動作処理における作業用の格納領域を提供する。ＣＰＵ３５は、電源がオンされると、ＲＯＭ３３からシステムプログラムデータを読み出してシステムを起動させ、当該複写機全体を制御する。
【００５５】
操作パネル４８は、タッチパネルからなる設定部１４及び液晶表示素子（ＬＣＤ）等である表示部１８を有して構成され、制御部１５の制御の下、操作画面の表示と設定の入力を受け付ける。設定部１４は、上述の制御部１５に接続され、画像形成部６０によって画像が形成される記録媒体Ｐの紙種や片面又は両面への画像形成条件（画像濃度の設定、用紙サイズの選択、複写枚数の設定等）を入力するように操作される。
【００５６】
また、設定部１４では、この操作の他に、上述した各書込ユニットにおける解像度や書き込み可能な最大幅などの情報を設定する操作入力が行われる。具体的には、表示部１８にＹＭＣＫの書込ユニットを選択する案内画面が表示され、設定部１４からいずれかの書込ユニットの選択が受け付けられる。次いで、表示部１８に選択された書込ユニットに関する解像度や書き込み可能な最大幅などの情報を設定する設定画面が表示され、設定部１４から設定値の入力が数値入力や±５段階程度の微調節ステップの選択などにより行われる。
【００５７】
なお、上述した操作パネル４８での各書込ユニットにおける解像度や書き込み可能な最大幅等の設定内容は、制御部１５の制御の下、ＲＡＭ３４の作業領域に一時的に格納された後、設定内容を反映する指示入力に応じて、後述する記憶部３２に記憶されるデータの内容を更新して保存される。
【００５８】
この例で、上述のＣＰＵ３５には、制御バス２８及びデータバス２９等のシステムが接続される。データバス２９には表示部１８が接続される。この表示部１８は、画像入力部１１によって取得された画像データＤｉｎに基づいて原稿３０を縮小してプレビューしたり、画像生成条件に係る選択項目等をＣＰＵ３５から送られる表示データＤ２に基づいて表示する。なお、操作パネル４８で設定された画像形成条件や給紙カセット選択情報等は、操作データＤ３としてＣＰＵ３５に出力される。
【００５９】
ＣＰＵ３５には制御バス２８及びデータバス２９を介して記憶部３２が接続される。記憶部３２は、各書込ユニットにおける解像度仕様や書き込み可能な最大幅などの情報を格納する。画像処理部３１では、この情報に基づいて各書込ユニットで画像を形成するための画像データの各々を、書込ユニットの主走査方向に対応する方向に変倍して、各書込ユニットの解像度仕様や最大印字幅などの違いに基づく印字位置ずれを解消する。
【００６０】
上述の制御バス２８及びデータバス２９には、画像入力部１１が接続される。画像入力部１１には、図示しないアナログ・デジタル変換器が設けられている。画像入力部１１は、読取制御信号Ｓ１に基づいて原稿３０から読み取って得たアナログの画像読取信号をＡ／Ｄ変換する。Ａ／Ｄ変換後のデジタルの画像データＤｉｎは、制御バス２８及びデータバス２９に接続された画像メモリ３６に転送される。
【００６１】
画像データＤｉｎは、メモリ制御信号Ｓ２に基づいて画像メモリ３６に格納される。画像メモリ３６には、ハードディスクや半導体記憶メモリなどが使用される。読取制御信号Ｓ１は、制御バス２８を介してＣＰＵ３５から画像入力部１１へ出力され、メモリ制御信号Ｓ２は、同様にして、ＣＰＵ３５から画像メモリ３６に各々出力される。ＣＰＵ３５は、画像メモリ３６におけるデータの書き込み読み出し制御を実行する。
【００６２】
画像処理部３１は、特に図示しないメモリに３次元色情報変換テーブルが予め格納されており、画像メモリ３６から読み出されたＲＧＢ色系の画像データＤｏｕｔ（＝Ｄｒ、Ｄｇ、Ｄｂ）を画像処理制御信号Ｓ３に基づいてＹＭＣＫ色系の画像データＤｙ、Ｄｍ、Ｄｃ、Ｄｋに色変換する。
【００６３】
画像処理部３１は、画像形成部６０の書込ユニット３Ｙにライン単位且つ画素単位に画像データＤｙを供給する。画像処理部３１にはＤＳＰ（Digital  Signal  Processor）やＲＡＭ等が使用される。このＲＡＭには、ライン単位且つ画素単位に画像データＤｙを供給するための作業領域（ラインバッファ）が設けられ、画像処理されたラインデータが供給前に一時的に格納される。具体的には、主走査方向の１ライン分の画像形成に対応するラインデータを多段に格納する構成である。
【００６４】
カラー複写機１００では、制御部１５の制御の下、主走査方向の画像形成位置の調整を画像処理部３１のラインデータをシフトして行う。同様に、カラー複写機１００では、制御部１５の制御の下、副走査方向の画像形成位置の調整を画像処理部３１のラインデータからの読み出す段数の遅延や先読みで行う。
【００６５】
上述の制御バス２８及びデータバス２９には画像形成部６０が接続される。画像形成部６０は、図１に示した画像形成ユニット１０Ｙ、１０Ｍ、１０Ｃ、１０Ｋから構成される。図３ではＹ色用の画像形成ユニット１０Ｙのみを示している。画像形成部６０を構成する画像形成ユニット１０Ｙは、複数の発光体をライン状に配列した書込ユニット３Ｙ及び当該書込ユニット３Ｙによって画像が形成される感光体ドラム１Ｙを有している。他のＭ色、Ｃ色、ＢＫ色用に画像形成ユニット１０Ｍ、１０Ｃ、１０Ｋ等については、画像形成ユニット１０Ｙと同様であるため、その説明を省略する。この例でＣＰＵ３５は、制御バス２８を介して画像形成部６０に作像制御信号Ｓ４を出力する。
【００６６】
画像形成部６０の例えばＹ色の書込ユニット３Ｙは、制御部１５の制御の下、ライン単位のＹ色用の画像データＤｙ及び作像制御信号Ｓ４の入力に応じて、感光体ドラム１ＹにＹ色用のトナー像を形成するように動作する。書込ユニット３Ｙでは、１ライン分の画像データＤｙに基づいて各々の強度で１ライン分のＹ色ライン形成用のＬＥＤ光群が一度に発生される。Ｙ色用のＬＥＤ光群は、感光体ドラム１Ｙの１ラインを一度に露光し、ライン上の静電潜像を形成する。感光体ドラム１Ｙに形成されたライン状の静電潜像は、図１で示した現像部４ＹがＹ色トナー部材によって現像する。現像部４Ｙによって現像されたＹ色用のトナー像は中間転写体６に転写される。
【００６７】
制御バス２８には搬送部２０が接続され、ＣＰＵ３５は図１に示した給紙トレイ２０Ａ〜２０Ｃを給紙制御信号Ｓ５に基づいて制御する。例えば、搬送部２０は、給紙制御信号Ｓ５に基づいて給紙トレイ２０Ａ、２０Ｂ又は２０Ｃのいずれかを選択し、給紙トレイ２０Ａ、２０Ｂ又は２０Ｃから繰り出した記録媒体Ｐを画像形成部６０に搬送する。給紙制御信号Ｓ５は、ＣＰＵ３５から搬送部２０に供給される。
【００６８】
データバス２９には通信部１９が接続される。通信部１９は、ＬＡＮ（Local Area Network）等の通信回線に接続され、外部のコンピュータやプリンタ等と通信処理する際に使用される。例えば、通信部１９は、カラー複写機１００で読み取った原稿画像を外部のプリンタ等により画像形成出力する場合に、画像データＤｏｕｔ’を外部プリンタに送信する。なお、制御部１５の制御の下、外部のコンピュータで作成された画像データＤｉｎ’を受け付けて画像形成部６０で印刷処理などを行う場合も通信部１９の通信機能が利用される。
【００６９】
次に、Ｙ、Ｍ、Ｃ、ＢＫ色用の各々のＬＥＤ書き込みユニット及びその周辺回路の構成について説明する。図４に示すように、ＣＰＵ３５には、画像処理部３１が接続される。ＣＰＵ３５から画像処理部３１には画像処理制御信号Ｓ３が供給される。画像処理部３１は、Ｒ色、Ｇ色、Ｂ色成分のデジタルの画像データＤｉｎ（＝Ｄｒ、Ｄｇ、Ｄｂ）を画像処理制御信号Ｓ３に基づいてＬＥＤ書き込み用の書き込みデータに変換する。例えば、画像データＤｉｎを３次元色情報変換テーブルによって、Ｙ、Ｍ、Ｃ、ＢＫ色用の画像データＤｙ、Ｄｍ、Ｄｃ、Ｄｋに変換する。
【００７０】
また、画像処理部３１は、ＣＰＵ３５が各書込ユニットにおける解像度仕様や書き込み可能な最大幅などの情報を読み出すことにより、各書込ユニットの主走査方向の変倍率を含む画像処理制御信号Ｓ３が供給された場合、その変倍率に応じて上述した画像データＤｙ、Ｄｍ、Ｄｃ、Ｄｋを主走査方向に変倍した画像データＤｙ’、Ｄｍ’、Ｄｃ’、Ｄｋ’に変換する。
【００７１】
この例で画像処理部３１は、書込ユニット３Ｙのレジスタアレイ６１Ｙにライン単位、かつ、画素単位に画像データＤｙ又は画像データＤｙ’を供給する。同様に、書込ユニット３Ｍのレジスタアレイ６１Ｍにライン単位、かつ、画素単位に画像データＤｍ又は画像データＤｍ’を供給する。同様に、書込ユニット３Ｃのレジスタアレイ６１Ｃにライン単位、かつ、画素単位に画像データＤｃ又は画像データＤｃ’を供給する。同様に、書込ユニット３Ｋのレジスタアレイ６１Ｋにライン単位、かつ、画素単位に画像データＤｋ又は画像データＤｋ’を供給する。
【００７２】
画像処理部３１にはタイミング発生回路３８が接続される。画像処理部３１はタイミング発生回路３８にタイミング発生制御信号Ｓ６を供給する。タイミング発生回路３８は、タイミング発生制御信号Ｓ６に基づいてＹ色用のレジスタ制御信号ＳＲｙ及びラッチ制御信号ＳＬｙと、Ｍ色用のレジスタ制御信号ＳＲｍ及びラッチ制御信号ＳＬｍと、Ｃ色用のレジスタ制御信号ＳＲｃ及びラッチ制御信号ＳＬｃと、ＢＫ色用のレジスタ制御信号ＳＲｋ及びラッチ制御信号ＳＬｋを各々発生する。
【００７３】
画像処理部３１及びタイミング発生回路３８には、Ｙ、Ｍ、Ｃ、ＢＫ色用の各々の書込ユニット３Ｙ、３Ｍ、３Ｃ、３Ｋが接続される。書込ユニット３Ｙは、レジスタアレイ６１Ｙ、ラッチ回路６２Ｙ及びＬＥＤヘッド６３Ｙを有している。上述の画像処理部３１にはレジスタアレイ６１Ｙが接続され、レジスタ制御信号ＳＲｙに基づいて１ライン分のシリアルの画像データＤｙ／画像データＤｙ’（ここで「／」は、「又は」の意味であり、以下同じ意味で使用する）を順次入力し、この画像データＤｙ／画像データＤｙ’を保持するようになされる。
【００７４】
レジスタアレイ６１Ｙにはラッチ回路６２Ｙが接続され、レジスタアレイ６１Ｙからパラレルに出力される画像データＤｙをラッチ制御信号ＳＬｙに基づいてラッチするように動作する。ラッチ回路６２ＹにはＬＥＤヘッド６３Ｙが接続される。ＬＥＤヘッド６３Ｙはレーザ駆動電源Ｖｙに接続される。ＬＥＤヘッド６３Ｙはラッチ回路６２Ｙから供給される、１ライン分の画像データＤｙ／画像データＤｙ’に基づいて各々の強度で１ライン分のＹ色ライン形成用のＬＥＤ光群を一度に発生する。
【００７５】
Ｙ色用のＬＥＤ光群は、感光体ドラム１Ｙの１ラインを一度に露光し、ライン状の静電潜像を形成する。感光体ドラム１Ｙに形成されたライン状の静電潜像は、図１に示した現像部４Ｙによって、Ｙ色トナー部材により現像される。現像部４Ｙによって現像されたＹ色用トナー像は中間転写体６に転写される。
【００７６】
書込ユニット３Ｍは、レジスタアレイ６１Ｍ、ラッチ回路６２Ｍ及びＬＥＤヘッド６３Ｍを有している。上述の画像処理部３１にはレジスタアレイ６１Ｍが接続され、レジスタ制御信号ＳＲｍに基づいて１ライン分のシリアルの画像データＤｍ／画像データＤｍ’を順次入力し、この画像データＤｍ／画像データＤｍ’を保持するようになされる。
【００７７】
レジスタアレイ６１Ｍにはラッチ回路６２Ｍが接続され、レジスタアレイ６１Ｍからパラレルに出力される画像データＤｍ／画像データＤｍ’をラッチ制御信号ＳＬｍに基づいてラッチするように動作する。ラッチ回路６２ＭにはＬＥＤヘッド６３Ｍが接続される。ＬＥＤヘッド６３Ｍはレーザ駆動電源Ｖｍに接続される。ＬＥＤヘッド６３Ｍはラッチ回路６２Ｍから供給される、１ライン分の画像データＤｍ／画像データＤｍ’に基づいて各々の強度で１ライン分のＭ色ライン形成用のＬＥＤ光群を一度に発生する。
【００７８】
Ｍ色用のＬＥＤ光群は、感光体ドラム１Ｍの１ラインを一度に露光し、ライン状の静電潜像を形成する。感光体ドラム１Ｍに形成されたライン状の静電潜像は、図１に示した現像部４Ｍによって、Ｍ色トナー部材により現像される。現像部４Ｍによって現像されたＭ色用のトナー像は中間転写体６に転写される。
【００７９】
書込ユニット３Ｃは、レジスタアレイ６１Ｃ、ラッチ回路６２Ｃ及びＬＥＤヘッド６３Ｃを有している。上述の画像処理部３１にはレジスタアレイ６１Ｃが接続され、レジスタ制御信号ＳＲｃに基づいて１ライン分のシリアルの画像データＤｃ／画像データＤｃ’を順次入力し、この画像データＤｃ／画像データＤｃ’を保持するようになされる。
【００８０】
レジスタアレイ６１Ｃにはラッチ回路６２Ｃが接続され、レジスタアレイ６１Ｃからパラレルに出力される画像データＤｃ／画像データＤｃ’をラッチ制御信号ＳＬｃに基づいてラッチするように動作する。ラッチ回路６２ＣにはＬＥＤヘッド６３Ｃが接続される。ＬＥＤヘッド６３Ｃはレーザ駆動電源Ｖｃに接続される。ＬＥＤヘッド６３Ｃはラッチ回路６２Ｃから供給される、１ライン分の画像データＤｃ／画像データＤｃ’に基づいて各々の強度で１ライン分のＣ色ライン形成用のＬＥＤ光群を一度に発生する。
【００８１】
Ｃ色用のＬＥＤ光群は、感光体ドラム１Ｃの１ラインを一度に露光し、ライン状の静電潜像を形成する。感光体ドラム１Ｃに形成されたライン状の静電潜像は、図１に示した現像部４Ｃによって、Ｃ色トナー部材により現像される。現像部４Ｃによって現像されたＣ色用のトナー像は中間転写体６に転写される。
【００８２】
書込ユニット３Ｋは、レジスタアレイ６１Ｋ、ラッチ回路６２Ｋ及びＬＥＤヘッド６３Ｋを有している。上述の画像処理部３１にはレジスタアレイ６１Ｋが接続され、レジスタ制御信号ＳＲｋに基づいて１ライン分のシリアルの画像データＤｋ／画像データＤｋ’を順次入力し、この画像データＤｋ／画像データＤｋ’を保持するようになされる。
【００８３】
レジスタアレイ６１Ｋにはラッチ回路６２Ｋが接続され、レジスタアレイ６１Ｋからパラレルに出力される画像データＤｋ／画像データＤｋ’をラッチ制御信号ＳＬｋに基づいてラッチするように動作する。ラッチ回路６２ＫにはＬＥＤヘッド６３Ｋが接続される。ＬＥＤヘッド６３Ｋはレーザ駆動電源Ｖｋに接続される。ＬＥＤヘッド６３Ｋはラッチ回路６２Ｋから供給される、１ライン分の画像データＤｋ／画像データＤｋ’に基づいて各々の強度で１ライン分のＢＫ色ライン形成用のＬＥＤ光群を一度に発生する。
【００８４】
ＢＫ色用のＬＥＤ光群は、感光体ドラム１Ｋの１ラインを一度に露光し、ライン状の静電潜像を形成する。感光体ドラム１Ｋに形成されたライン状の静電潜像は、図１に示した現像部４Ｋによって、ＢＫ色トナー部材により現像される。現像部４Ｋによって現像されたＢＫ色用のトナー像は中間転写体６に転写される。中間転写体６に転写されたトナー像は、所定の記録媒体Ｐに転写され、カラー画像を形成するようになる。
【００８５】
ここで、ＣＰＵ３５からの画像処理制御信号Ｓ３に基づいて、Ｙ、Ｍ、Ｃ、ＢＫ色用の各々のＬＥＤ書き込みユニットに供給する画像データＤｙ／Ｄｙ’、画像データＤｍ／Ｄｍ’、画像データＤｃ／Ｄｃ’、画像データＤｋ／Ｄｋ’を供給する画像処理部３１の内部構成について説明する。
【００８６】
図５に示すように、画像処理部３１は、画像変換部３１１、補正部３１２、変倍処理部３１３を有する構成である。画像変換部３１１は、入力されるＧ色、Ｂ色成分のデジタルの画像データＤｉｎ（＝Ｄｒ、Ｄｇ、Ｄｂ）を３次元色情報変換テーブルなどを参照して、Ｙ色、Ｍ色、Ｃ色、ＢＫ色用の画像データへ変換する。補正部３１２は、その変換された画像にレジスト補正などを行う。
【００８７】
なお、画像変換部３１１は、ＹＭＣＫ各色用の画像データの変換時に、階調変換用のテーブルなどを参照することで階調変換してもよい。具体的には、ＹＭＣＫ各色が２５６階調である場合に、１６階調や画素のＯＮ／ＯＦＦである２階調（２値化）に変換する。
変倍処理部３１３は、その補正後の画像データ（ＹＭＣＫ各色）に対して画像処理制御信号Ｓ３で指示された主走査方向の変倍、つまり、各書込ユニットの主走査方向に対応する方向の変倍を行う。変倍処理部３１３は、画像処理制御信号Ｓ３に基づいて変倍を行った場合は画像データＤｙ’、Ｄｍ’、Ｄｃ’、Ｄｋ’を出力し、変倍を行わない場合は補正後の画像データを画像データＤｙ、Ｄｍ、Ｄｃ、Ｄｋとして出力する。
【００８８】
画像処理制御信号Ｓ３は、ＣＰＵ３５が解像度仕様や最大印字幅などの情報を読み込んで算出することで設定される、各書込ユニット同士の解像度比や最大印字幅比などに基づいた変倍率が含まれており、変倍処理部３１３はその変倍率に従って主走査方向の変倍を行う。
【００８９】
このＣＰＵ３５における変倍率の設定は、所定の色を形成する書込ユニットの主走査方向の解像度や最大印字幅などの情報を基準して、他の色の書込ユニットの解像度や最大印字幅などを情報から、当該他の色の書込ユニットの書込位置が基準の書込ユニットの書込位置に一致するような倍率に設定される。
【００９０】
この基準となる書込ユニットは、記憶部３２の設定情報などに基づいて、解像度仕様の低いＣＭＹ色の書込ユニットが設定される。この場合は、最も解像度が高い色で調整が行われるため、形成画像の見た目の品質を落とすことがない。また、記憶部３２に設定された各書込ユニットの解像度に関する情報の各々を比較することで、最も解像度が低い書込ユニットが基準として設定されてもよい。この場合は、解像度の高い書込ユニット側で変倍した画像形成が行われるため、微細な調整を行うことができ、高品質な画像形成を行うことができる。
【００９１】
例えば、ＢＫ色の書込ユニットの解像度仕様が１１９８．０ｄｐｉ、ＹＭＣ色用の解像度仕様が６００．０ｄｐｉの場合、解像度の低いＹＭＣ色の書込位置にＢＫ色の書込位置を合わせる。この場合、ＹＭＣ色の１画素幅がＢＫ色の１．９９７画素幅であるため、ＹＭＣ色の１画素をＢＫ色の２画素分に合わせるためには、ＢＫ色の主走査方向の倍率は１．００２倍と設定される。つまり、ここでは、ＢＫ色の主走査方向を変倍することで、ＢＫ色とＹＭＣ色との解像度比を整数比にする変倍率に設定される。式で表すと以下のようになる。
（第１の解像度／第２の解像度）×倍率＝Ｎ（Ｎは整数：この例では２）
なお、特に例示しないが、印字幅が設定されている場合も、同様に互いの書込ユニットの印字幅比から算出された変倍率が設定される。
更に、ＹＭＣ色のそれぞれでも解像度仕様の異なる書込ユニットを使う場合は、その中で最も解像度の低い書込ユニットを基準（第２の解像度）とし、各色の書込ユニットの倍率を上述と同様の方法で決定すればよい。
【００９２】
変倍処理部３１３は、上述のＣＰＵ３５で設定された変倍率を含む画像処理制御信号Ｓ３に基づいて、ラインバッファに格納された画像形成部６０に主走査方向のライン単位且つ画素単位に供給する画像データから、変倍率に基づいた画素の間引き／画素の挿入を行い、変倍後の画像データ（画像データＤｙ’等）を出力する。例えば、０．９９９倍の変倍を行う場合は、１０００画素中の１画素が間引かれる。１．００２倍の変倍を行う場合には、１０００画素に２画素が挿入される。なお、この変倍処理部３１３における変倍率に基づいた画素の間引き／画素の挿入はライン上のランダムな位置で行われるため、副走査方向に線となって現れる画像あれを防止することができる。
【００９３】
次に、制御部１５が制御して行うカラー複写機１００の動作（画像形成）について具体的に説明する。図６に示すように、カラー複写機１００の動作は、制御部１５が各部を制御して行うステップＡ１〜Ａ９の各処理から成る。
【００９４】
図６に示すように、制御部１５は、通信部１９を経由した他のコンピュータからのプリント要求や操作パネル４８からの操作指示によるプリント／コピー等の画像形成要求があるか否かを判定して、その要求がなされるまでの間は待機する（ステップＡ１）。
【００９５】
制御部１５は、画像形成要求がなされた場合（ステップＡ１：Ｙ）、通信部１９を経由した通信や操作パネル４８の入力操作に基づいてその要求に係る画像形成条件の入力を受け付けて、その情報を記憶部３２へ格納する（ステップＡ２）。なお、このステップＡ２における画像形成条件の入力は、前述した各書込ユニットにおける解像度や書き込み可能な最大幅などの情報設定を含むものである。また、プリント要求／コピー要求に基づく処理はほぼ同一であり、コピー要求に基づく処理に画像読取処理を含むことが相違するだけであるため、以下の説明ではコピー要求に関する処理についてのみを行い、プリント要求については省略する。
【００９６】
次いで、制御部１５は、操作パネル４８などから処理のスタート／ストップのいずれが指示されているかを判定し（ステップＡ３）、スタートが指示されている場合は画像入力部１１から画像を読み取る画像読取処理を行い（ステップＡ４）、前述したＣＰＵ３５の演算による変倍率の設定を行う（ステップＡ５）。ここで、前述した書込ユニットの解像度仕様に基づく変倍率の設定はカラーモードでのみ行う。すなわちＢＫ色の書込ユニットのみを使用して画像形成を行うモノクロモードでは、解像度仕様に基づく変倍率の設定は行わない。なお、カラーモードとモノクロモードは操作パネルから選択的に設定される。
【００９７】
次いで、制御部１５は、画像処理制御信号Ｓ３を画像処理部３１に出力することで、前述した画像データの各書込ユニット主走査方向に対応した方向の変倍処理を含む画像処理を行い（ステップＡ６）、その画像処理後のラスタライズ画像データ（画像データＤｙ／Ｄｙ’、画像データＤｍ／Ｄｍ’、画像データＤｃ／Ｄｃ’、画像データＤｋ／Ｄｋ’）に基づいた画像形成処理を画像形成部６０で行う（ステップＡ７）。
【００９８】
次いで、制御部１５は、最終ページへの画像形成の有無を判定する判定処理を行い（ステップＡ８）、画像形成を最終ページまで行って、次の処理に関する指示があるか否かなどの処理終了の有無を判定する（ステップＡ９）。
【００９９】
以上のように、カラー複写機１００は、画像入力部１１などから入力される画像データＤｉｎに基づいて画像処理部３１でＹＭＣＫ各色の画像データを生成し、当該画像データを元に画像形成部６０のＹＭＣＫ各色の書込ユニットで重畳して画像を形成する際に、制御部１５の制御の下、各色の書込ユニットごとに主走査方向の変倍率を設定し、その設定された変倍率に基づいて画像データを変倍する構成である。
【０１００】
このため、カラー複写機１００は、仕様により、各色の書込ユニットにおける主走査方向の書込み用発光素子の配列が当該各色の書込ユニットの各々でズレており、そのズレにより形成画像に生じる色ズレを、ラスタライズ画像データの主走査方向を変倍することで防止することができる。
【０１０１】
具体的には、図７に示すように、画素間隔Ｈ１１が画素間の幅（解像度）であり、印字幅Ｈ１２が最大の印字幅である画素ｇ１〜ｇｎの書込素子配列Ｌ１、及び、画素間隔Ｈ２１が画素間の幅（解像度）であり、印字幅Ｈ２２が最大の印字幅である画素Ｇ１〜Ｇｎの書込素子配列Ｌ２により、変倍前のラスタライズ画像データにより印字ラインＬ上に形成される画素ｇ５、Ｇ５の位置ずれを、例えば、画素ｇ５を書込素子配列Ｌ２の画素Ｇ４の位置と重ねるように書込素子配列Ｌ１側のラスタライズ画像データを変倍することで、形成画像における色ズレを解消することができる。
【０１０２】
また、カラー複写機１００は、画像形成部６０の各書込ユニットにおける主走査方向の解像度に基づいて、その主走査方向に対応したラスタライズ画像データにおける主走査方向の変倍率を設定する構成である。このため、カラー複写機１００は、書込ユニットごとに設定された解像度に基づいて、各書込ユニットにおける書込位置の補正を行うことができ、色ズレを防止することができる。
【０１０３】
また、カラー複写機１００は、各書込ユニットにおける主走査方向の解像度が整数比となる変倍率に設定する構成であるため、各書込ユニットの製造上の誤差などにより数％単位で生じる書込位置のズレを補正することができ、色ズレを防止することができる。
【０１０４】
また、カラー複写機１００は、解像度が低い色の書込ユニット側に解像度が高い色の書込ユニット側の変倍率を合わせて設定する構成であり、解像度が高い書込ユニット側での色ズレ補正により、高精細な形成画像を得ることができる。
【０１０５】
また、カラー複写機１００は、画像形成部６０の各書込ユニットにおける主走査方向の印字幅（書込幅）に基づいて、その主走査方向に対応したラスタライズ画像データにおける主走査方向の変倍率を設定する構成である。このため、カラー複写機１００は、各書込ユニットごとに設定された印字幅に基づいて、各書込ユニットにおける書込位置の補正を行うことができ、色ズレを防止することができる。
【０１０６】
また、カラー複写機１００は、操作パネル４８による操作入力により、各書込ユニットの解像度や印字幅の情報入力を受け付け、当該書込ユニットにおける主走査方向に対応したラスタライズ画像データにおける主走査方向の変倍率を設定することができる構成である。
【０１０７】
また、カラー複写機１００は、記憶部３２で各書込ユニットの解像度や印字幅の情報を記憶し、当該書込ユニットにおける主走査方向に対応したラスタライズ画像データにおける主走査方向の変倍率を設定することができる構成である。
【０１０８】
また、カラー複写機１００は、センサＳＥ１〜ＳＥ４で各書込ユニットの解像度や印字幅に関する情報を検出し、当該書込ユニットにおける主走査方向に対応したラスタライズ画像データにおける主走査方向の変倍率を設定することができる構成である。
【０１０９】
また、カラー複写機１００は、画像変換部３１１から出力されるラスタライズ画像データを変倍処理部３１３で変倍する構成であり、画像変換部３１１で色の階調が２値などに変換された後のラスタライズ画像データに対して変倍することができる。
【０１１０】
また、カラー複写機１００は、変倍処理部３１３で書込ユニットにおける主走査方向に対応したラスタライズ画像データにおける主走査方向の変倍を行う際に、当該変倍に係る画素の間引き又は画素の挿入をランダムに行う構成である。このため、カラー複写機１００は、通常の変倍処理により副走査方向に線などとして生じる画像あれを防止することができる。
【０１１１】
なお、上述した実施の形態における記述は、一例を示すものであり、これに限定するものではない。上述した実施の形態における構成及び動作に関しては、要旨を逸脱しない範囲で適宜変更が可能である。
【０１１２】
また、本実施の形態では、主走査方向にライン状に配列された画像形成に係る書込み用発光素子はＬＥＤ素子であり、いわゆる電子写真方式で画像形成を行う構成を示した。しかしながら、書込み用発光素子はインクを吐出するインクノズルを有するものであり、いわゆるインクジェット方式で画像形成を行う構成などであってもよく、特に限定するものではない。
【０１１３】
また、記憶部３２に記憶される情報は、各書込ユニットに設けられたＲＯＭなどに記憶されてもよい。この場合は、各書込ユニットの製造者が当該書込ユニットの出荷時に予め情報を設定して提供することができる。
【図面の簡単な説明】
【０１１４】
【図１】本実施の形態に係るカラー複写機の内部構成を示す外観図である。
【図２】書込ユニット及びその周辺回路の構成を例示する斜視図である。
【図３】カラー複写機の制御系の構成を模式的に示すブロック図である。
【図４】Ｙ、Ｍ、Ｃ、ＢＫ各色用の各々の書込ユニット及びその周辺回路の構成を例示するブロック図である。
【図５】画像処理部の構成を模式的に示すブロック図である。
【図６】カラー複写機の動作を例示するフローチャートである。
【図７】書込ユニットによる記録媒体上の画像形成を例示する概念図である。
【符号の説明】
【０１１５】
１００  カラー複写機
１Ｙ、１Ｍ、１Ｃ、１Ｋ  感光体ドラム
２Ｙ、２Ｍ、２Ｃ、２Ｋ  帯電部
３Ｙ、３Ｍ、３Ｃ、３Ｋ  書込ユニット
４Ｙ、４Ｍ、４Ｃ、４Ｋ  現像部
６  中間転写体
７Ａ  ２次転写ローラ
７Ｙ  、７Ｍ、７Ｃ、７Ｋ１次転写ローラ
８Ａ、８Ｙ、８Ｍ、８Ｃ、８Ｋ  クリーニング部
１０Ｙ、１０Ｍ、１０Ｃ、１０Ｋ  画像形成ユニット
１１  画像入力部
１４  設定部
１５  制御部
１７  定着装置
１８  表示部
１９  通信部
２０  搬送部
２０Ａ、２０Ｂ、２０Ｃ  給紙トレイ
２１  送り出しローラ
２２Ａ  給紙ローラ
２２Ｂ、２２Ｃ、２２Ｄ  搬送ローラ
２３  レジストローラ
２４  排紙ローラ
２５  排紙トレイ
２６  分岐部
２７Ａ  循環通紙路
２７Ｂ  反転搬送路
２７Ｃ  再給紙搬送部
２８  制御バス
２９  データバス
３０  原稿
３１  画像処理部
３２  記憶部
３３  ＲＯＭ
３４  ＲＡＭ
３４１  情報履歴格納領域
３５  ＣＰＵ
３６  画像メモリ
３８  タイミング発生回路
４０  ＡＤＦ
４１  原稿載置部
４２ａ  ローラ
４２ｂ  ローラ
４３  ローラ
４４  搬送ローラ
４６  排紙皿
４８  操作パネル
５１  第１のプラテンガラス
５２  第２のプラテンガラス
５３  光源
５４、５５、５６  ミラー
５７  結像光学部
５８  イメージセンサ
６０  画像形成部
６１Ｙ、６１Ｍ、６１Ｃ、６１Ｋ  レジスタアレイ
６２Ｙ、６２Ｍ、６２Ｃ、６２Ｋ  ラッチ回路
６３Ｙ、６３Ｍ、６３Ｃ、６３Ｋ  ＬＥＤヘッド
６４Ｙ  ＩＣ実装基板
１０１  複写機本体
３１１  画像変換部
３１２  補正部
３１３  変倍処理部
Ｄｉｎ  画像データ
Ｄｉｎ’  プリントデータ
Ｄｏｕｔ  画像データ
Ｄｏｕｔ’  プリントデータ
Ｄｙ、Ｄｙ’、Ｄｍ、Ｄｍ’、Ｄｃ、Ｄｃ’、Ｄｋ、Ｄｋ’  画像データ
Ｇ１〜Ｇｎ、ｇ１〜ｇｎ  画素
Ｈ１１、Ｈ２１  画素間隔
Ｈ１２、Ｈ２２  印字幅
Ｌ  印字ライン
Ｌ１、Ｌ２  書込素子配列
Ｐ  記録媒体
Ｒ  画像形成領域
Ｓ１  読取制御信号
Ｓ２  メモリ制御信号
Ｓ３  画像処理制御信号
Ｓ４  作像制御信号
Ｓ５  給紙制御信号
Ｓ６  タイミング発生制御信号
ＳＥ１〜ＳＥ４  センサ
ＳＲｙ、ＳＲｍ、ＳＲｃ、ＳＲｋ  レジスタ制御信号
ＳＬｙ、ＳＬｍ、ＳＬｃ、ＳＬｋ  ラッチ制御信号
Ｓｏｕｔ  画像読取信号
Ｖｙ、Ｖｍ、Ｖｃ、Ｖｋ  レーザ駆動電源
【図１】
2008141730.tif 000003
【図２】
2008141730.tif 000004
【図３】
2008141730.tif 000005
【図４】
2008141730.tif 000006
【図５】
2008141730.tif 000007
【図６】
2008141730.tif 000008
【図７】
2008141730.tif 000009